(57)【要約】【課題】ロール体から帯状材又は線状材をスムーズに引き出すことができるロール体の引出し具を提供する。【解決手段】左右側板部２Ｌ，２Ｒの間に設けた底板部３と、左右側板部２Ｌ，２Ｒの間に横設され、帯状材101を巻き付けたロール体102が回動自在に設けられる左右方向の支持軸４と、底板部３に設けられロール体102の外周側から引き出された帯状材101を挿通する挿通部５と、を備える。底板部３は、ロール体102の外周に対向する対向面たる上面３Ｊと、上面３Ｊと交差方向の前面３Ｍとを備え、上面３Ｊと前面３Ｍとを連通して挿通部５が設け、また、底板部３は、ロール体102の外周に対向する上面３Ｊと、上面３Ｊと交差方向の後面３Ｂとを備え、上面３Ｊと後面３Ｂとを連通して挿通部が設けられているから、底板部３の前面３Ｍ及び後面３Ｂから帯状材101を引き出すことができる。【選択図】図１
0003205850.tif 000002
【実用新案登録請求の範囲】
【請求項１】
左右に間隔を置いて立設された左右側板部と、
前記左右側板部の間に設けた中間部と、
前記左右側板部の間に横設され、帯状材又は線状材を巻き付けたロール体が回動自在に設けられる左右方向の支持軸と、
前記中間部に設けられ前記ロール体の外周側から引き出された帯状材又は線状材を挿通する挿通部と、を備えたロール体の引出し具において、
前記中間部は、前記ロール体の外周に対向する対向面と、前記対向面と交差方向の外側面とを備え、
前記対向面と前記外側面とを連通して前記挿通部が設けられていることを特徴とするロール体の引出し具。
【請求項２】
前記中間部が底板部であり、
前記底板部の左右に前記左右側板部が立設され、
前記底板部の上面と前記支持軸に設けた前記ロール体の外周とに間に間隔があり、
前記対向面が前記底板部の上面であることを特徴とする請求項１記載のロール体の引出し具。
【請求項３】
前記ロール体は前記帯状材を巻き付けたものであり、
前記帯状材を帯状の状態で引き出す帯状用の前記挿通部と、
前記帯状用の前記挿通部と形状が異なり、前記帯状材を集束して引き出す集束用の前記挿通部とを備えることを特徴とする請求項１記載のロール体の引出し具。
【請求項４】
前記ロール体は前記帯状材を巻き付けたものであり、
前記帯状材を帯状の状態で引き出す帯状用の前記挿通部と、
前記帯状用の前記挿通部と形状が異なり、前記帯状材を集束して引き出す集束用の前記挿通部とを備え、
前記外側面が前記底板部の前面及び後面であり、
前記帯状用の前記挿通部は、前記上面と前記前面とを連通して形成され、
前記集束用の前記挿通部は、前記上面と前記後面とを連通して形成されていることを特徴とする請求項２記載のロール体の引出し具。
【請求項５】
前記帯状用の前記挿通部は、前記支持軸の長さ方向に長いスリット状に形成されると共に、前記帯状材の幅以上の左右幅に形成され、
前記帯状用の前記挿通部は、前記上面及び前記前面において前記支持軸と平行に形成され、
前記支持軸が前記左右側板部に着脱自在に設けられていることを特徴とする請求項４記載のロール体の引出し具。
【請求項６】
前記集束用の前記挿通部は円形に形成され、
前記集束用の前記挿通部は、前記支持軸の中心位置より後側に設けられ、
前記帯状用の前記挿通部は、前記集束用の前記挿通部の位置より前側に設けられ、
前記帯状用の前記挿通部は前記上面から前記前面に向かって低くなるように斜め形成され、
前記集束用の前記挿通部は前記上面から前記後面に向かって低くなるように斜め形成され、
前記底板部の下面と前記帯状用の前記挿通部との間の角度が４５度未満であることを特徴とする請求項５記載のロール体の引出し具。
【請求項７】
前記左右側板部の上部に両側を連結した持ち手と、
前記左右側板部の間に上部が回動可能に連結され、自重により下面が前記ロール体の外周上部に当接する煽り板と、
前記煽り板を前側及び後側に選択的に取付ける煽り板取付手段とを備えることを特徴とする請求項４〜６のいずれか１項に記載のロール体の引出し具。
【考案の詳細な説明】
【技術分野】
【０００１】
本考案は、帯状材又は線状材を巻き付けたロール体から帯状材又は線状材を引き出す引出し具に関する。
【背景技術】
【０００２】
従来、この種のものとして、外周面に線状材が巻き付けられた芯管と、この芯管の両端部を摩合状態に支承するフリクション軸受部と、を具備し、前記線状材が引き出し解舒されるとき芯管の両端部を支承するフリクション軸受部の摩擦力が当該芯管の回転を安定に制動するように構成し、導紐長孔を開設した防鳥糸等の繰出器（例えば特許文献１）や、引出し用小孔を少なくとも１個有する六面体のダンボール製外箱内に軸部材を横架し、線条体を該軸部材の廻りにコイル状に巻いて上記外箱に内装し、線条体引出し用小孔を貫設した線条体巻設構造（例えば特許文献２）があり、これらはロール状にした線状材を孔から引き出して使用することができる。
【０００３】
また、荷造りテープやロープ等の紐類を収納する容器体と、容器体を施葢する蓋体とをプラスチック等で形成する。蓋体の中央部に、抜取孔を有する回転口部を回転自在に設け、前記抜取孔の開口形状を、収納する紐類の断面形状に合わせた荷造り紐用ケース（例えば特許文献３）があり、この紐用ケースでは、紐類を抜き取る際に、紐類のねじれを防止し、巻き込んだ紐類の内側で絡まることなく、最後までスムーズに取り出すことができる。
【０００４】
さらに、ロール巻きされた荷造り用ひもを収納することができる上部開口の収納容器本体と、この収納容器本体の開口部を着脱可能な嵌合状態で覆うことができる開閉蓋と、この開閉蓋に形成された前記収納容器本体内に収納された荷造り用ひもを外部へ取り出すことができるように構成し、荷造り用ひも取り出し孔を設けた収納容器（例えば特許文献４）がある。
【０００５】
上記荷造り紐用ケースに係る特許文献３では、紐類である帯状材を、該帯状材の形状に合わせた抜取孔から引き出すことにより、帯状材のねじれを防止することができ、一方、特許文献４の収納容器では、帯状材を円形の取り出し孔から引き出すことにより、帯状材を集束することができると記載されている。
【０００６】
しかし、上記特許文献３の荷造り紐用ケースでは、帯状材を巻き付けたロール体は、容器本体の底面に載置され、特許文献１及び２のように回転可能に設けられものでなく、そのロール体の内周から該ロール体の中心方向に帯状材を引き出し、その帯状材を中央の抜取孔に挿通するものであるため、ロール体から引き出す際、帯状材が捩じられ、皺が発生する虞があり、また、図１の状態から帯状材を引き出し、ロール体の内径が大きくなると、ロール体と抜取孔における捩じれも大きくなり、帯状を保ったままで引く出すことが難しくなる。
【０００７】
また、特許文献４の収納容器では、帯状材を円形の取り出し孔から引き出すことにより、帯状材を集束できるが、中心を縦方向としたロール体の外周から上面の取り出し孔を通して引き出すものであるから、帯状材が不必要に捩じられる虞があると共に、引出し難くなる面がある。
【先行技術文献】
【特許文献】
【０００８】
【特許文献１】特開２００１−１２０１５７号公報
【特許文献２】実開平６−２０３６４号公報
【特許文献３】実開平７−３１６３２号公報
【特許文献４】特開２００４−９０９４４号公報
【考案の概要】
【考案が解決しようとする課題】
【０００９】
解決しようとする問題点は、ロール体から帯状材又は線状材をスムーズに引き出すことができるロール体の引出し具を提供することを目的とする。
【課題を解決するための手段】
【００１０】
請求項１のロール体の引出し具は、左右に間隔を置いて立設された左右側板部と、前記左右側板部の間に設けた中間部と、前記左右側板部の間に横設され、帯状材又は線状材を巻き付けたロール体が回動自在に設けられる左右方向の支持軸と、前記中間部に設けられ前記ロール体の外周側から引き出された帯状材又は線状材を挿通する挿通部と、を備えたロール体の引出し具において、前記中間部は、前記ロール体の外周に対向する対向面と、前記対向面と交差方向の外側面とを備え、前記対向面と前記外側面とを連通して前記挿通部が設けられていることを特徴とする。
【００１１】
請求項１の構成によれば、ロール体を回動可能に設け、このロール体に対向する対向面と、この対向面と交差方向の外側面とを連通して挿通部を設けることにより、挿通部を通して、帯状材又は紐状体を引き出すことができる。
【００１２】
請求項２のロール体の引出し具は、前記中間部が底板部であり、前記底板部の左右に前記左右側板部が立設され、前記底板部の上面と前記支持軸に設けた前記ロール体の外周とに間に間隔があり、前記対向面が前記底板部の上面であることを特徴とする。
【００１３】
請求項２の構成によれば、底板部の対向面から帯状材又は線状材を引き出すことができる。
【００１４】
請求項３のロール体の引出し具は、前記ロール体は前記帯状材を巻き付けたものであり、前記帯状材を帯状の状態で引き出す帯状用の前記挿通部と、前記帯状用の前記挿通部と形状が異なり、前記帯状材を集束して引き出す集束用の前記挿通部とを備えることを特徴とする。
【００１５】
請求項３の構成によれば、帯状用の挿通部と集束用の挿通部を選択して使用することにより、帯状材を帯状のまま引き出したり、集束した状態で引き出したりすることができる。
【００１６】
請求項４のロール体の引出し具は、前記ロール体は前記帯状材を巻き付けたものであり、前記帯状材を帯状の状態で引き出す帯状用の前記挿通部と、前記帯状用の前記挿通部と形状が異なり、前記帯状材を集束して引き出す集束用の前記挿通部とを備え、前記外側面が前記底板部の前面及び後面であり、前記帯状用の前記挿通部は、前記上面と前記前面とを連通して形成され、前記集束用の前記挿通部は、前記上面と前記後面とを連通して形成されていることを特徴とする。
【００１７】
請求項４の構成によれば、帯状用の挿通部と集束用の挿通部を選択して使用することにより、前面から帯状材を帯状のまま引き出したり、後面から集束した状態で引き出したりすることができる。
【００１８】
請求項５のロール体の引出し具は、前記帯状用の前記挿通部は、前記支持軸の長さ方向に長いスリット状に形成されると共に、前記帯状材の幅以上の左右幅に形成され、前記帯状用の前記挿通部は、前記上面及び前記前面において前記支持軸と平行に形成され、前記支持軸が前記左右側板部に着脱自在に設けられていることを特徴とする。
【００１９】
請求項５の構成によれば、１つの底板部に帯状用の挿通部と集束用の挿通部を効率よく配置し、帯状材を帯状のままスムーズに引き出したり、集束した状態でスムーズに引き出したりすることができる。
【００２０】
請求項６のロール体の引出し具は、前記集束用の前記挿通部は円形に形成され、前記集束用の前記挿通部は、前記支持軸の中心位置より後側に設けられ、前記帯状用の前記挿通部は、前記集束用の前記挿通部の位置より前側に設けられ、前記帯状用の前記挿通部は前記上面から前記前面に向かって低くなるように斜め形成され、前記集束用の前記挿通部は前記上面から前記後面に向かって低くなるように斜め形成され、前記底板部の下面と前記帯状用の前記挿通部との間の角度が４５度未満であることを特徴とする。
【００２１】
請求項６の構成によれば、帯状用の挿通部において帯状材に無理な力が加わり難く、一層、帯状材を帯状のままスムーズに引き出したり、集束した状態でスムーズに引き出したりすることができる。
【００２２】
請求項７のロール体の引出し具は、前記左右側板部の上部に両側を連結した持ち手と、
前記左右側板部の間に上部が回動可能に連結され、自重により下面が前記ロール体の外周上部に当接する煽り板と、前記煽り板を前側及び後側に選択的に取付ける煽り板取付手段とを備えることを特徴とする。
【００２３】
請求項７の構成によれば、持ち手を持って引出し具を運搬することができ、また、自重により煽り板がロール体の外周に当接するため、ロール体が過度に回転することがなく、ロール体の回転が安定し、さらに、煽り板の前後位置を変えることにより帯状用の挿通部又は集束用の挿通部のいずれかを使用する場合でも、帯状材の引出し操作が安定する。
【考案の効果】
【００２４】
上記構成によれば、挿通部を通してロール体から帯状材又は線状材をスムーズに引き出すことができる。
【図面の簡単な説明】
【００２５】
【図１】本考案の実施例１を示す帯状用の挿通部から帯状材を引き出した状態のロール体の引出し具の斜視図である。
【図２】同上、正面図である。
【図３】同上、斜め後側から見た斜視図である。
【図４】同上、縦断面図である。
【図５】同上、集束用の挿通部から帯状材を引き出した状態のロール体の引出し具の斜視図である。
【図６】本考案の実施例２を示すロール体の引出し具の斜視図である。
【考案を実施するための形態】
【００２６】
本考案における好適な実施の形態について、添付図面を参照して説明する。尚、以下に説明する実施の形態は、実用新案登録の範囲に記載された本考案の内容を限定するものではない。また、以下に説明される構成の全てが、本考案の必須要件であるとは限らない。
【実施例１】
【００２７】
図１〜図５は実施例１を示し、ロール体の引出し具１は、左右に間隔を置いて立設された左右側板部２Ｌ，２Ｒと、これら左右側板部２Ｌ，２Ｒの下部を連結する中間部たる底板部３と、前記左右側板部２Ｌ，２Ｒの間に横設され、長尺物たる帯状材101を巻き付けたロール体102が回動自在に設けられる左右方向の支持軸４と、前記底板部３に設けられ前記ロール体102の外周側から引き出された帯状材101を挿通する挿通部５，６とを備える。尚、引出し具１の材質は、合成樹脂製，金属製，木製など適宜選定できる。
【００２８】
前記ロール体102は、前記支持軸４を遊挿する芯材103の外周に、該芯材103と略同一幅の帯状材101を平巻し、外周から帯状材101を繰り出すものであり、例えばポリエチレン平巻きテープなどが例示される。
【００２９】
前記底板部３は、前記左右側板部２Ｌ，２Ｒの下部と、これら左右側板部２Ｌ，２Ｒの間に設けた底板中央部１１からなり、底板部３の下面３Ｋには滑り止め部材１２が設けられている。前記左右側板部２Ｌ，２Ｒは前後幅寸法に比べて上下高さ寸法が大きく、安定し、左右側板部２Ｌ，２Ｒの上部には面取り部たる半円部１３，１３が形成されている。
【００３０】
前記底板部３の上面３Ｊが前記ロール体102の外周に対向する対向面であり、前記支持軸４に装着したロール体102と前記上面３Ｊとの間には間隔Ｋが設けられている。また、前記底板部３の前面３Ｍ及び後面３Ｂが、前記上面３Ｊと交差方向の外側面である。尚、この例では、引出し具１は前後左右対称であるが、説明のため、前面３Ｍ，後面３Ｂと称して説明する。また、この例では、前面３Ｍ及び後面３Ｂが外側面であるが、底板部３の左右側面により外側面を構成することもできる。
【００３１】
前記左右側板部２Ｌ，２Ｒには、前記支持軸４を着脱自在に装着する装着孔１４，１４が穿設されている。また、支持軸４の一端には平板状の摘み部４Ｔを設け、この摘み部４Ｔを引っ張ることにより、前記装着孔１４，１４から支持軸４を引き抜き易くなる。
【００３２】
また、前記帯状材101を帯状の状態で引き出す帯状用の前記挿通部５と、前記帯状材101を集束して引き出す集束用の前記挿通部６とを備え、これら挿通部５，６は断面形状が異なり、挿通部５はスリット状の孔であり、挿通部６は略円形の孔である。尚、この場合の集束とは、１本の帯状材101が、該帯状材101の幅より小さい挿通部６に挿通されることにより、図５に示すように断面形状が丸められることを言う。また、実施例では、円形の挿通部６の場合、その直径は帯状材の幅の１０分の１以下である。
【００３３】
具体的には、前記底板部３には、対向面たる前記上面３Ｊと外側面たる前記前面３Ｍとを連通する前記帯状用の挿通部５と、対向面たる前記上面３Ｊと外側面たる前記後面３Ｂとを連通する前記集束用の挿通部６とが設けられている。
【００３４】
前記帯状用挿通部５は、前記支持軸４の長さ方向に長いスリット状に形成されると共に、前記帯状材101の左右幅以上の幅に形成されている。また、前記集束用の前記挿通部６は略円形に形成されている。尚、挿通部５，６は上面３Ｊにおいて、上部側に拡大するテーパー状に形成されている。
【００３５】
前記帯状用の前記挿通部５は、前記上面３Ｊの中央前側と前記前面３Ｍとを連通して形成され、前面３Ｍにおいて、底板部３の下面３Ｋと平行に形成されている。前記集束用の前記挿通部６は、前記底板部３の中央後側で幅方向中央と前記後面３Ｂの幅方向中央とを連通して形成されている。
【００３６】
前記帯状用の前記挿通部５は、前記上面３Ｊにおいて前記支持軸４の中心の平面位置より僅かに前側に設けられ、前記集束用の前記挿通部６は、前記上面３Ｊにおいて前記支持軸４の中心の平面位置より後側に設けられている。また、前記帯状用の前記挿通部５は前記上面３Ｊから前記前面３Ｍに向かって低くなるように斜めに形成され、前記集束用の前記挿通部６は前記上面３Ｊから前記後面３Ｂに向かって低くなるように斜め形成され、前記底板部３の下面３Ｋと前記両挿通部５，６との間の角度が４５度未満であり、実施例では前記下面３Ｋと前記挿通部５との間の角度は約２５度、前記下面３Ｋと前記挿通部６との間の角度は約３５度である。
【００３７】
前記左右側板部２Ｌ，２Ｒの上部に持ち手１５の両側が連結され、この例では、左右側板部２Ｌ，２Ｒの上部で前後方向中央に持ち手挿通孔１６，１６を穿設し、これら左右の持ち手挿通孔１６，１６に紐体１７を挿通し、この紐体１７の両端を連結することにより持ち手１５を構成している。
【００３８】
また、前記左右側板部２Ｌ，２Ｒの上部で前後には、対をなす前後挿通孔１８Ｍ，１８Ｍ，１８Ｂ，１８Ｂが穿設され、前後挿通孔１８Ｍ，１８Ｍ，１８Ｂ，１８Ｂに選択的に且つ着脱可能に軸部１９が装着される。そして、前後挿通孔１８Ｍ，１８Ｍ，１８Ｂ，１８Ｂ及び軸部１９により、煽り板２０を前側及び後側に選択的に取付ける煽り板取付手段２１を構成している。尚、軸部１９は煽り板２０の挿通孔２０Ｓに挿通されており、この挿通孔２０Ｓを設けた部分を他の部分より硬質なものとしてもよい。
【００３９】
図１などに示すように、帯状用の挿通部５を前面３Ｍに設けており、後挿通孔１８Ｂ，１８Ｂに軸部１９を挿通し、この軸部１９により左右側板部２Ｌ，２Ｒの間に煽り板２０の上部を回動自在に設け、この煽り板２０の下面２０Ｋが前記ロール体102の外周に当接する。尚、煽り板２０は略方形をなし、上部に前記軸部１９を挿通する前記挿通孔２０Ｓを穿設している。
【００４０】
そして、前面３Ｍに開口する挿通部５を使用する場合は、後挿通孔１８Ｂ，１８Ｂを用いて煽り板２０を取付け、煽り板２０の下面２０Ｋを、ロール体102の外周の後斜め上部に当接して使用し、一方、後面３Ｂに開口する挿通部６を使用する場合は、前挿通孔１８Ｍ，１８Ｍを用いて煽り板２０を取付け、煽り板２０の下面２０Ｋを、ロール体102の外周の前斜め上部に当接して使用する。
【００４１】
次に、前記引出し具１の使用方法について説明する。この引出し具１は帯状材101を巻き付けたロール体102から、帯状材101を帯状のままに引き出したり、集束して引き出したりすることができる。そして、箱の梱包などの紐として使用する場合であって、例えば、ぶどうなどの梱包材に力を加えたくないものでは、帯状の帯状材101で梱包することが好ましいから、スリット状の挿通部５を使用し、帯状のまま引き出す。
【００４２】
具体的には、図４に示すように、帯状材101の先端を、ロール体102の外周後側から下方に向かって、挿通部５へと上面３Ｊから前面３Ｍに挿通する。また、煽り板２０の挿通孔２０Ｓと後挿通孔１８Ｂ，１８Ｂとに軸部１９を装着し、この軸部１９により煽り板２０を取付け、この煽り板２０の下面２０Ｋをロール体102の外周後上部に当接する。
【００４３】
そして、使用者は前面３Ｍから帯状材101を引き出すことにより、帯状に保った状態でスムーズに帯状材101を引き出すことができ、そのまま梱包などに用いることができる。また、煽り板２０がロール体102の外周に当接するため、ロール体102が遊転することを防止し、帯状材101を安定して引き出すことができる。
【００４４】
一方、強く縛りたい場合などには、帯状材101の先端を、ロール体102の外周前側から下方に向かって、挿通部６へと上面３Ｊから後面３Ｂに挿通する。この場合、帯状材101の先端をピン（図示せず）などに挟み、そのピンと共に先端を挿通部６に挿通する。このように幅広な帯状材101を略円形の挿通部６に挿通することにより、帯状材101は断面が丸められた状態に集束される。また、ロール体102を前後逆にして左右側板部２Ｌ，２Ｒ間に取付け、煽り板２０を前挿通孔１８Ｍ，１８Ｍに軸部１９を装着し、この軸部１９により煽り板２０を取付け、この煽り板２０の下面２０Ｋをロール体102の外周前上部に当接する。
【００４５】
そして、引出し具１の前後の向きを変えて後面３Ｂ側を手前に位置させ、後面３Ｂから帯状材101を引き出すことにより、集束された状態でスムーズに帯状材101を引き出すことができ、そのまま梱包などに用いることができる。また、煽り板２０がロール体102の外周前側に当接するため、ロール体102が遊転することを防止し、帯状材101を安定して引き出すことができる。
【００４６】
このように本実施例では、請求項１に対応して、左右に間隔を置いて立設された左右側板部２Ｌ，２Ｒと、左右側板部２Ｌ，２Ｒの間に設けた中間部たる底板部３と、左右側板部２Ｌ，２Ｒの間に横設され、帯状材101又は線状材を巻き付けたロール体102が回動自在に設けられる左右方向の支持軸４と、底板部３に設けられロール体102の外周側から引き出された帯状材101を挿通する挿通部５と、を備えたロール体102の引出し具１において、前記底板部３は、ロール体102の外周に対向する対向面たる上面３Ｊと、上面３Ｊと交差方向の外側面たる前面３Ｍとを備え、上面３Ｊと前面３Ｍとを連通して挿通部５が設けられ、また、前記底板部３は、ロール体102の外周に対向する対向面たる上面３Ｊと、上面３Ｊと交差方向の外側面たる後面３Ｂとを備え、上面３Ｊと後面３Ｂとを連通して挿通部６が設けられているから、底板部３の前面３Ｍ及び後面３Ｂから帯状材101を引き出すことができる。
【００４７】
このように本実施例では、請求項２に対応して、中間部が底板部３であり、底板部３の左右に左右側板部２Ｌ，２Ｒが立設され、底板部３の上面３Ｊと支持軸４に設けたロール体102の外周とに間に間隔Ｋがあり、対向面が底板部３の上面３Ｊであるから、底板部３の対向面から帯状材101又は線状材を安定して引き出すことができる。
【００４８】
このように本実施例では、請求項３に対応して、ロール体102は帯状材101を巻き付けたものであり、帯状材101を帯状の状態で引き出す帯状用の挿通部５と、帯状用の挿通部５と形状が異なり、帯状材101を集束して引き出す集束用の挿通部６とを備えるから、帯状用の挿通部５と集束用の挿通部６を選択して使用することにより、帯状材101を帯状のまま引き出したり、集束した状態で引き出したりすることができる。
【００４９】
このように本実施例では、請求項４に対応して、ロール体102は帯状材101を巻き付けたものであり、帯状材101を帯状の状態で引き出す帯状用の挿通部５と、帯状用の挿通部５と形状が異なり、帯状材101を集束して引き出す集束用の挿通部６とを備え、外側面が底板部３の前面３Ｍ及び後面３Ｂであり、帯状用の挿通部５は、上面３Ｊと前面３Ｍとを連通して形成され、集束用の挿通部６は、上面３Ｊと後面３Ｂとを連通して形成されているから、帯状用の挿通部５と集束用の挿通部６を選択して使用することにより、前面３Ｍから帯状材101を帯状のまま安定して引き出したり、後面３Ｂから集束した状態で安定して引き出したりすることができる。
【００５０】
このように本実施例では、請求項５に対応して、帯状用の挿通部５は、支持軸４の長さ方向に長いスリット状に形成されると共に、帯状材101の幅以上の左右幅に形成され、帯状用の挿通部５は、上面３Ｊ及び前面３Ｍにおいて支持軸４と平行に形成され、支持軸４が左右側板部２Ｌ，２Ｒに着脱自在に設けられているから、１つの底板部３に帯状用の挿通部５と集束用の挿通部６を効率よく配置し、帯状材101を帯状のままスムーズに引き出したり、集束した状態でスムーズに引き出したりすることができる。
【００５１】
このように本実施例では、請求項６に対応して、集束用の挿通部６は円形に形成され、集束用の挿通部６は、支持軸４の中心位置より後側に設けられ、帯状用の挿通部５は、集束用の挿通部６の位置より前側に設けられ、帯状用の挿通部５は上面３Ｊから前面３Ｍに向かって低くなるように斜め形成され、集束用の挿通部６は上面３Ｊから後面３Ｂに向かって低くなるように斜め形成され、底板部３の下面３Ｋと帯状用の挿通部５との間の角度が４５度未満であるから、挿通部５，６において帯状材101に無理な力が加わり難く、一層、帯状材101を帯状のままスムーズに引き出したり、集束した状態でスムーズに引き出したりすることができる。
【００５２】
このように本実施例では、請求項７に対応して、左右側板部２Ｌ，２Ｒの上部に両側を連結した持ち手１５と、左右側板部２Ｌ，２Ｒの間に上部が回動可能に連結され、自重により下面２０Ｋがロール体102の外周上部に当接する煽り板２０と、煽り板２０を前側及び後側に選択的に取付ける煽り板取付手段２１とを備えるから、持ち手１５を持って引出し具１を運搬することができ、また、自重により煽り板２０がロール体102の外周に当接するため、ロール体102が過度に回転することがなく、ロール体102の回転が安定し、さらに、煽り板２０の前後位置を変えることにより帯状用の挿通部５又は集束用の挿通部６のいずれかを使用する場合でも、帯状材101の引出し操作が安定する。
【実施例２】
【００５３】
図６は本考案の実施例２を示し、上記実施例１と同一部分に同一符号を付し、その詳細な説明を省略して詳述する。この例の引出し具１Ａは、線状材111を巻き付けたロール体102を用いるものである。
【００５４】
同図に示すように、線状材111には特許文献１などに開示された防鳥糸を用いることができ、ロール体102は実施例１に比べて幅広に形成され、左右側板部２Ｌ，２Ｒの間隔も広く設けられ、底板部３は左右幅寸法が前後幅寸法より大きく形成されている。
【００５５】
また、挿通部６Ａは、前記線状材111を挿通するものであり、断面略円形で、上面３Ｊと前面３Ｍとの間に直線状に設けられている。また、下面３Ｋに対する挿通部６Ａの角度は４５度未満であり、上面３Ｊにおいて挿通部６Ａは左右方向中央側で、支持軸４の位置より僅かに前方に位置する。さらに、前面３Ｍにおいて挿通部６Ａは左右方向中央側に位置する。
【００５６】
さらに、前挿通孔は設けられておらず、後挿通孔１８Ｂ，１８Ｂに装着した軸部１９により、煽り板２０が設けられている。また、左右側板部２Ｌ，２Ｒの上部の前後には、面取り部１３Ａ，１３Ａが設けられている。
【００５７】
このように本実施例では、左右に間隔を置いて立設された左右側板部２Ｌ，２Ｒと、左右側板部２Ｌ，２Ｒの間に設けた中間部たる底板部３と、左右側板部２Ｌ，２Ｒの間に横設され、線状材111を巻き付けたロール体102が回動自在に設けられる左右方向の支持軸４と、底板部３に設けられロール体102の外周側から引き出された線状材111を挿通する挿通部６Ａと、を備えたロール体102の引出し具１において、底板部３は、ロール体102の外周に対向する対向面たる上面３Ｊと、上面３Ｊと交差方向の外側面たる前面３Ｍとを備え、上面３Ｊと前面３Ｍとを連通して挿通部６Ａが設けられているから、底板部３の前面３Ｍから線状材111を引き出すことができる。また、従来、細い線状材111では、ロール体102を支持する軸に、線状材111が巻き付き易かったがこの問題を解決できる。
【００５８】
尚、本考案は、本実施例に限定されるものではなく、本発明の要旨の範囲内で種々の変形実施が可能である。例えば、請求項１においては、左右側板部の上部を連結する上板部を中間部としてもよく、この場合は、上面部の下面が対向面であり、上面部の前面及び後面，左右側面部の上部の外面が外側面となる。また、請求項３においては、帯状の挿通部と集束用の挿通部の両者を上面と前面とを連通して設けてもよく、例えば、上面において集束用の挿通部を帯状の挿通部より後側に形成し、前面において集束用の挿通部を帯状の挿通部より下側に形成すればよく、この逆でもよい。さらに、底板部において、上面と左右側面とを連通するように挿通部を形成してもよく、この場合、集束用の挿通部を上面と左右側面とを連通するように形成し、帯状用の挿通部は、上面と前面又は後面とを連通するように形成することが好ましい。また、実施例では、前面及び後面を略垂直に図示したが、これに限定されずに斜めであってもよし、また、前面及び後面を略平坦面に図示したが、これに限定されずに湾曲面などにしてもよい。さらに、持ち手は各種の形状及び材質のものを用いることができる。また、挿通部の角度も適宜選定可能である。
【符号の説明】
【００５９】
１  引出し具
２Ｌ  左側板部
２Ｒ  左側板部
３  底板部（中間部）
３Ｋ  下面
３Ｊ  上面（対向面）
３Ｍ  前面（外側面）
３Ｂ  後面（外側面）
４  支持軸
５  帯状用の挿通部
６  集束用の挿通部
６Ａ  挿通部
１５  持ち手
２０  煽り板
２０Ｋ  下面
２１  煽り板取付手段
111  線状部
101  帯状材
102  ロール体
103  芯材
Ｋ  間隔
【図４】
0003205850.tif 000003
【図１】
0003205850.tif 000004
【図２】
0003205850.tif 000005
【図３】
0003205850.tif 000006
【図５】
0003205850.tif 000007
【図６】
0003205850.tif 000008